(57)【要約】【課題】  文字、イラスト、絵画、写真や図面等のトレース作業を行うに際し、安価で容易にできるトレース用ファイルホルダを提供する。【解決手段】  ファイルホルダは、一対の透光性のシート状部材からなり、このシート状部材は合成樹脂製で矩形状を呈し、一方の長辺において連設され、この長辺に隣接する短辺は接合部にて接着されている。一方のシート状部材の外面には、ほぼその全面に亘って透明または半透明の滑り止め層が形成されている。この滑り止め層は、トレーシング部材との界面において着脱可能な所定の抵抗力と粘着性と密着性を有する。【選択図】  図１
2015077716.tif 000002
【特許請求の範囲】
【請求項１】
合成樹脂製で、連設された相対向する上下一対の透光性シート状部材を有し、該シート状部材の内面間に、下地となる文字や図案や模様等を施した原案シートを挟持可能に構成し、前記上下一対の透光性シート状部材の一方の外面に、トレーシング部材を所定の位置に設置した時、前記トレーシング部材とのずれを防止する透明または半透明の滑り止め層を形成したトレース用ファイルホルダ。
【請求項２】
上下一対の透光性シート状部材は、一辺において連設されるとともに、これに隣接する他の一辺においても連接した請求項１記載のトレース用ファイルホルダ。
【請求項３】
透明または半透明の滑り止め層は、透光性シート状部材の全外周辺端部に達しない大きさで所定の面をベタ印刷した請求項１と２のいずれかに記載のトレース用ファイルホルダ。
【請求項４】
上下一対の透光性シート状部材の上方のシート状部材はインキの密着性の優れる樹脂材からなり、下方のシート状部材はポリオレフィン系の樹脂からなり、上方のシート状部材の外面に透明または半透明の滑り止め層を形成した請求項１から３のいずれかに記載のトレース用ファイルホルダ。
【請求項５】
トレーシング部材とのずれを防止する透明または半透明の滑り止め層として、ウレタンアクリレートとエーテルアクリレートの少なくとも一つの成分を含有するインキを用いた請求項１から４のいずれかに記載のトレース用ファイルホルダ。
【請求項６】
トレーシング部材とのずれを防止する透明または半透明の滑り止め層の厚みが、１０μｍから２００μｍである請求項１から５のいずれかに記載のトレース用ファイルホルダ。
【請求項７】
トレーシング部材とのずれを防止する透明または半透明の滑り止め層の面に、少なくとも一枚のトレーシングペーパーが添付された請求項１から６のいずれかに記載のトレース用ファイルホルダ。
【発明の詳細な説明】
【技術分野】
【０００１】
本発明は、文字や図案、模様やイラスト、絵画、写真等の原案シートからトレース作業を行うに際し、原案シートの背後から光を当ててトレースする作業において、補助器具として用いるトレース用ファイルホルダに関するものである。
【背景技術】
【０００２】
従来、文字や図案、模様やイラスト、絵画、写真等の原案シートからトレースする場合、太陽の光が入る窓ガラスや、光を出す投光器を有するトレース台の上に原案シートを置き、その上に半透明の紙やトレーシングペーパーを置いて、手でおさえながら鉛筆等でトレースしていた。
【０００３】
しかし、原案シートや原案シートの上に置いたトレーシングペーパーが、トレースしていくうちに大きくずれてしまう問題点があった。そのため、原案シートやトレーシングペーパーを固定するのに粘着テープが必要となるが、原案シートやトレーシングペーパーに直接粘着テープを貼り付けると原案シートやトレーシングペパーに粘着のりが残ったり、原案シートから丁寧にはがしてもトレーシングペーパーの粘着部が他のものに不用意に付着したり、また、粘着部にゴミが付着して汚れたりした。
【０００４】
これらの課題を解決する方法のひとつとして、特許文献１には、粘着ワク付き筆記練習用透明性用紙が開示されている。それは透明性用紙に剥離シートで覆われた粘着部を有する不透明ワクが設けてあるもので、トレース作業時には、剥離シートを取り除き、不透明ワクの粘着部を透明用紙に写したい手本の所定位置に貼り付け、筆記具で書き写すものである。そして、トレース作業が終わった後で、透明用紙を粘着部と不透明ワクと共に取り外し、粘着部面を剥離シートで覆うことにより汚れから保護することができると記されている。
【０００５】
透明性用紙に書き写すとき、透明性用紙の周囲に位置する不透明ワクが手本の周囲に粘着するため、ずれることがなく正確に書き写すことができ、はがしたあと剥離シートが保護シートとなるため粘着面が汚れたり、他の物に不用意に付着したりしない。また粘着部が不透明ワクのところだけであるため、書き写すときに粘着物が写す手本に強く付着しないので、はがしたあと手本の表面に粘着剤が残ってしまうことがないとされる。
【０００６】
しかし、このような不透明ワクだけでの密着では、ずれを完全に防止することはできず、剥離シートで粘着部を保護しても、手本の面に粘着物を押し付けることには変わりなく、手本を汚してしまう問題点を解決することにはなっていない。
【０００７】
特に、一枚の透明性用紙毎に、不透明枠と粘着剤と剥離シートとが必要であることは、トレースする作業が煩雑化すると共に、構成部材が複雑化するために一枚の透明性用紙に対する材料費が高価になるという問題点がある。
【０００８】
また、特許文献２には、原紙の背後から光を当ててトレース用紙を通してできるだけ明確にトレース対象が見えるようにして行なえる透光板が開示されている。この透光板は、透光性を有する１枚の矩形の合成樹脂板の約１／２の板部分を、複数の発光ダイオードを並設した光源とこの光源からの光を板面に略均等に散光する散光板とを設けてなる光源側板部分とし、他方の約１／２の板部分の合成樹脂板を、前記光源と散光板とが設けられた光源側板部分の一側面の略全面を覆うカバー板部分とし、カバー板部分を光源側板部分との境界部分で折り曲げて形成することにより、カバー板部分と光源側板部分との間に原稿シート若しくは文字や図案、模様等を施したシートを挟み込み可能に構成したことを最大の特徴とするものである。
【０００９】
この構成によると、光源として比較的安価で長寿命の発光ダイオードを使用することから構造も簡単で安価に実施することができる利点がある。また、他方の約１／２の板部分の合成樹脂板を、前記光源と散光板とが設けられた板部分の一側面の略全面を覆うカバー板部分とし、カバー板部分を光源側板部分との境界部分でおりまげて形成することにより、カバー板部分と光源側板部分との間に原稿シート若しくは文字や図案、模様等を施したシートを挟み込み可能にしてあるので、こうした原稿シート若しくは文字や図案、模様等を施したシートをセロファンテープ等で貼り付ける手間をなくして、その取り付けを簡単に行うことができる利点があるとされる。
【００１０】
しかし、背後からの光を効率的に当てることができ、原稿シートを挟み込む構成となっていても、結局、トレーシングペーパーをテープ等で止める必要がある。アクリル樹脂面でのトレーシング作業は、非常によくすべるため、トレーシングペーパーとアクリル板との界面で筆圧による微妙なずれが生じ易く、トレースが上手くできない問題がある。また、トレース台と原稿シートとトレーシングペーパーとが、固定されてしまうと、トレース作業において向きや角度を変えてトレースしたい場合などにはトレース台全体を動かす必要があり細かな作業がやり難い問題点がある。
【００１１】
さらに、このような構成の特殊な装置となると、従来の投光器付きのトレース台が不要となり、トレース台自体を買い換えることになり汎用性に欠け、初期の備品投資が必要となる。
【００１２】
また、特許文献３には、合成樹脂製であって一対のシート状部材の内面間に書類を挾持するファイルホルダにおいて、シート状部材の外面に、インキ等の表示媒体となる物質を受理可能とする受理層を形成するようにしたことから、当該ファイルホルダを使用するユーザが、好みのデザインや挟持する書類に関する情報を任意かつ可視的にファイルホルダ表面に付加することができるものが開示されている。
【００１３】
しかし、このファイルホルダは、挟持する書類やデザインをトレースするための目的でシート状部材の外面に受理層を形成したものではなく、挟持する書類やデザインの関連情報を記録するために、インキ等の表示媒体となる物質を受理可能とする受理層を形成したものである。すなわち、形成される受理層は、プリンタによる印字を受理可能とするためのもので、これら表示媒体となる物質を受理可能とする受理層は、樹脂液状物として、樹脂溶液、樹脂エマルジョン、メルトしたホットメルト樹脂、二液硬化型未反応樹脂液、紫外線硬化型未硬化樹脂液などが例示されているが、粒径が８〜１８μｍの大粒径スポンジシリカと粒径が１〜７μｍの小粒径スポンジシリカとを併含する樹脂層により形成されることが限定されている。スポンジシリカとはシリカ粒子中に細孔を有するスポンジ構造のシリカを意味し、表示媒体となる物質を受理し易くする物質である。
【００１４】
よって、このようなファイルホルダに原稿シートを挟持し、トレーシングペーパーを上に乗せ鉛筆でトレースした場合、滑り止めの効果はなく、ずれを防止することはできず、また、シリカ粒子等の充填材が含まれると、受理層自体の透明性が悪くなりトレース作業がより困難となる。
【先行技術文献】
【特許文献】
【００１５】
【特許文献１】実開平５−５２８６８号公報
【特許文献２】特開２０１０−１３１９３５号公報
【特許文献３】特開２００１−８８４８４号公報
【発明の概要】
【発明が解決しようとする課題】
【００１６】
以上のように、特許文献１で開示する、粘着ワク付き筆記練習用透明性用紙の不透明ワクだけでの密着では、ずれを完全に防止することはできず、手本の周囲だけでも粘着剤を押し付けるため、手本を汚してしまう課題を解決できず、また、１枚の透明性用紙毎に、透明枠と粘着剤と剥離シートとが必要であり、トレースする作業が煩雑で、構成部材が複雑化するために材料費が高価になるという問題点がある。
【００１７】
また、特許文献２で開示する透光板は、背後からの光を効率的に当てることができ、原稿シートを挟み込む構成となっていても、結局、トレーシングペーパーをテープ等で止める必要があり、アクリル樹脂面でのトレーシング作業は滑りを止めることはできず、トレーシングペーパーとアクリル板との界面で筆圧による微妙なずれが生じ易く、トレースが精度良くできない問題がある。また、トレース台と原紙シートとトレーシングペーパーとが、固定されてしまうと、トレース作業において向きや角度を変えたい場合、トレース台全体を動かす必要があり細かな作業が困難となる。
【００１８】
特許文献３で開示するファイルホルダは、挟持する書類やデザインをトレースするための目的でシート状部材の外面に受理層を形成したものではなく、挟持する書類やデザインの関連情報を記録するために、インキ等の表示媒体となる物質を受理可能な受理層を形成したものであり、このようなファイルホルダに原稿シートを挟持し、トレーシングペーパーを上に乗せ鉛筆でトレースした場合、滑り止めの効果はなく、ずれを防止することはできず、また、受理層自体の透明性が悪くトレース作業が困難となる。
【００１９】
そこで、本発明は従来のこのような問題点を解決する、文字、イラスト、絵画、写真や図面等のトレース作業を行うに際し、確実に安価で容易にできるトレース用ファイルホルダを提供することを目的とする
【課題を解決するための手段】
【００２０】
前記課題を解決するために、本発明の第１の態様にかかるトレース用ファイルホルダは、合成樹脂製で、連設された相対向する上下一対の透光性シート状部材を有し、該シート状部材の内面間に下地となる文字や図案や模様等を施した原案シートを挟持可能に構成し、前記上下一対の透光性シート状部材の少なくとも一方の外面に、トレーシング部材を所定の位置に設置した時、前記トレーシング部材とのずれを防止する透明または半透明の滑り止め層を形成したものである。
【００２１】
この構成によれば、連設された相対向する上下一対の透光性シート状部材の内面間に、下地となる文字や図案や模様等を施した原案シートを挟持させ、滑り止め層を形成した面にトレーシング部材を軽く圧着させておき、背後面から窓ガラスや透光板からの明かりを受光するようにしてトレースすると、鉛筆等の筆記具の筆圧があっても、滑り止め層が抵抗となり、トレーシングペーパーのずれはなくなり、原案シートも上下一対の透明性シート状部材に挟まれ動くことがないので精度良く原案シートをトレースすることができる。また、ファイルホルダと原案シートとトレーシングペーパーとが仮密着状態で一体として構成されているため、窓ガラス上でもトレース台の板上でも、前後左右、自由に向きや角度を変え動かすことが可能であり、全ての素材が透明、または半透明からなるので、トレーシング作業が非常に効率よくできる。
【００２２】
本発明の第２の態様にかかるトレース用ファイルホルダは、 上下一対の透光性シート状部材が一辺において連設されるとともに、これに隣接する他の一辺においても連接されているものである。
なお、本発明で言う一辺における連接とは、上下一対のシートの一辺が、複数の点で、または、連続の線で、または、接着剤や溶着による接合面で繋がっているものすべてであり、一枚のシートを中央で折り曲げてなる上下一対のシートも連接されたものとする。
【００２３】
この構成によれば、上下一対の透光性シート状部材が連設され、これに隣接する他の一辺も連接されることにより、上下一対の透光性シート状部材が略袋状となるので、下地となる文字や図案や模様等を施した原案シートを容易に所定位置に固定し挟持させることができ、原案シートは上下一対の透明性シート状部材に動くことがないので精度良くトレースすることができる。
【００２４】
本発明の第３の態様にかかるトレース用ファイルホルダは、透明または半透明の滑り止め層が、透光性シート状部材の全外周辺部に達しない大きさで所定の面をベタ印刷したものである。通常、印刷面の端がシート状部材の端面部と同じであると、シート部材のひずみや変形等で容易に剥がれたりするが、滑り止め層の印刷面が端面にまで達していないので、印刷後のファイル端面の切断加工時や、トレース作業時でのシート状部材の変形に対しても、滑り止め層の密着を維持することが可能である。
また、滑り止め層がベタ印刷で形成されたものであるから、滑り止め層の上にトレーシング部材を置いてトレースしても凹凸による引っかかりも無く、滑らかなトレースが可能である。
【００２５】
本発明の第４の態様にかかるトレース用ファイルホルダは、上下一対の透光性シート状部材の上方のシート状部材はインキの密着性の優れる樹脂材からなり、下方のシート状部材はポリオレフィン系の樹脂からなり、上方のシート状部材の外面に透明または半透明の滑り止め層を形成したものである。
【００２６】
インキの密着性が優れる樹脂材としては、ポリエチレンテレフタレート樹脂、ポリカーボネート樹脂、ポリメタアクリレート樹脂、ポリスチロール樹脂、等があり、これらの樹脂を上方のシート状部材として使用すれば、インキの密着性が優れ、滑り止め層を印刷加工した後でのファイルホルダの二次加工や取り扱い、また、トレース作業時において滑り止め層が剥離することが無くなる。
また、下方のシート状部材をポリオレフィン系のポリエチレン樹脂やポリプロピレン樹脂とすることで、表面が適度な滑らかさをもち、トレース台やガラス板面上で前後左右にトレース用ファイルホルダを摺動でき、また、摺動させても傷つきが無く、透光性や透明性が極端に低下することがない。
【００２７】
本発明の第５の態様にかかるトレース用ファイルホルダは、トレーシング部材とのずれを防止する透明または半透明の滑り止め層として、ウレタンアクリレートとエーテルアクリレートの少なくとも一つの成分を含有するインキを用いたものである。
【００２８】
ウレタンアクリレートやエーテルアクリレート成分を含むインキは、溶剤型でも紫外線硬化型でも良い。この成分は、適度な柔軟性及び弾力性と仮粘着性とを有し、滑り止め層として有効に働き、シート部材とトレーシングペーパーとの界面でのずれを防止すると共に、トレーシング作業終了後にはトレーシングペーパーを滑り止め層から容易にはがすことが可能なトレース用ファイルホルダを提供する。
【００２９】
本発明の第６の態様にかかるトレース用ファイルホルダは、トレーシング部材とのずれを防止する透明または半透明の滑り止め層の厚みが、１０μｍから２００μｍであることを特徴とするものである。
【００３０】
この構成によれば、１０μｍより薄いと、下地の透明シート状部材の影響で固くなり、滑り止めの効果が発揮できず、１０μｍより厚くする事で、適度な滑り止め効果が得られる。また、２００μｍ以下にすることで、透明性を維持すると共に、筆圧によるトレーシングペーパーの破れを防止できるものである。
【００３１】
本発明の第７の態様にかかるトレース用ファイルホルダは、トレーシング部材とのずれを防止する透明または半透明の滑り止め層の面に、少なくとも一枚のトレーシングペーパーが添付されたものである。
【００３２】
この構成によれば、トレース用ファイルホルダが複数枚積層された時、特にトレース用ファイルホルダの滑り止め層の面と、別のトレース用ファイルホルダの滑り止め層の面とが合わされ、長時間にわたり積層された状態が続くことがあっても、トレーシングペーパーが介在することで、強く接着することはなく、滑り止め層の部分的なシート状部材からの剥離破壊を防止できる。また、トレーシングペーパーはそのまま最初のトレース用紙として使用することができ、無駄が無い。
【発明の効果】
【００３３】
以上の通り、本発明によれば、文字、イラスト、絵画、写真や図面等のトレース作業を行うに際し、確実に安価で容易にトレースができるトレース用ファイルホルダが実現する。
【図面の簡単な説明】
【００３４】
【図１】本発明の一実施の形態によるトレース用ファイルホルダの斜視図である。
【図２】本発明の一実施の形態によるＡ−Ａ線に沿う模式断面図である。
【図３】本発明の一実施の形態によるトレース用ファイリングホルダを透光板の上に乗せトレースするときの位置関係を示す模式断面図である。
【発明を実施するための形態】
【００３５】
以下、本発明の実施の形態について、図１から図３を参照しつつ説明する。
【００３６】
図１は本発明の一実施の形態によるトレース用ファイルホルダの一例を示す斜視図であり、図２は本発明の一実施の形態によるトレース用ファイルホルダのＡ−Ａ線に沿う模式断面図である。図３は本発明の一実施の形態によるトレース用ファイルホルダを透光板の上に乗せトレーシングペーパーにトレースするときの位置関係を示す模式断面図である。
【００３７】
トレース用ファイルホルダ１は相対向する一対の上シート状部材２と、下シート部材３とを有している。この上下シート状部材２、３は矩形状であって、ポリエチレン、ポリプロピレン、ポリエステル、ポリカーボネート、ポリメタアクリレート、ポリアミド等の合成樹脂で形成されており、透明又は半透明である。また上下シート状部材２、３は、一方の長辺において連設されており、連接辺４に隣接する短辺も接合部５として熱溶着されている。
【００３８】
一方、上シート状部材２の外面には、ほぼその全面に亘ってではあるが、上シート状部材２の全外周辺部端面に達しない大きさで所定の面をスクリーン印刷によるベタ印刷され、透明または半透明の滑り止め防止層６が形成されている。この滑り止め防止層６は、ウレタンアクリレートとエーテルアクリレートの少なくとも一つの成分を含有する紫外線硬化型インキにより形成されたものである。
【００３９】
以下にウレタンアクリレートとエーテルアクリレートの組成物と、その組成物による滑り止め層６の製法について特開平１０−１８７３４５号公報に開示された内容を参照にして記載する。
【００４０】
（ａ）組成物
この滑り止め層６を形成する合成樹脂としては、柔軟性及び弾力性と共に若干の仮粘着性を有するものが望まれるが、このような樹脂として、ウレタンアクリレートとエーテルアクリレートを含有する組成物を使用するのが好ましい。
【００４１】
(ｉ) ウレタンアクリレート
ウレタンアクリレートはジイソシアネートと、末端に水酸基を有するとともにラジカル重合性不飽和基を有するアクリレートとが結合してなり、必要に応じて両末端に水酸基を有するジオールを含有するのが好ましい。ウレタンアクリレートは１分子中に少なくとも１個のラジカル重合性不飽和基を有する。
【００４２】
ジイソシアネートは１分子中に２個のイソシアネート基を有する脂肪族又は芳香族のジイソシアネート化合物であり、例えばテトラメチレンジイソシアネート、ヘキサメチレンジイソシアネート、2,4-トリレンジイソシアネート、2,6-トリレンジイソシアネート、イソホロンジイソシアネート、キシリレンジイソシアネート等が挙げられる。
【００４３】
末端に水酸基を有するとともにラジカル重合性不飽和基を有するアクリレートは、ウレタン化合物のイソシアネート基に結合するとともに、紫外線照射により架橋反応を引き起こす不飽和基を有するいわゆるラジカル重合性化合物である。このような末端に水酸基を有するラジカル重合性アクリレートは、アクリル酸又はメタクリル酸若しくはこれらの誘導体のエステル化合物であって末端に水酸基を有するものであり、例えば、ヒドロキシエチルアクリレート、ヒドロキシプロピルアクリレート、ヒドロキシブチルアクリレート、ヒドロキシエチルメタクリレート、ヒドロキシプロピルメタクリレート、ヒドロキシブチルメタクリレート、4-ヒドロキシシクロヘキシルアクリレート、5-ヒドロキシシクロオクチルアクリレート等が挙げられる。
【００４４】
両末端に水酸基を有するジオールとしては、直鎖の脂肪族系ジオールを用いるのが好ましく、例えば両末端に水酸基を有するポリエステルプレポリマー、ポリエーテルプレポリマー等が挙げられる。ポリエステルプレポリマーとしては多塩基酸とポリオールとの縮合生成物が挙げられる。また両末端に水酸基を有するポリエーテルプレポリマーとしてはポリテトラメチレンエーテルグリコール、ポリエチレングリコール、ポリプロピレングリコール等がある。
【００４５】
次にウレタンアクリレートの製造方法について説明すると、ジオールを使用する場合にはまずジイソシアネートとジオールとを反応させる。この場合、反応式は以下の通りである。
OCN-R1 -NCO＋HO-R2 -OH → OCN-R1 -[NHCOO-R 2 -COONH-R1 ] n
- NCO
ただし、Ｒ1 及びＲ2 はそれぞれアルキレン基等の炭化水素基であり、ｎは整数である。
【００４６】
次に上記反応生成物にヒドロキシアクリレートを反応させる。この場合、反応式は以下の通りである。
OCN-R1
-[NHCOO-R 2 -COONH-R1 ] n -NCO＋ 2HO-R3 →
R3 -COONH-R 1 -[NHCOO-R 2 -COONH-R1 ] n
-NHCOO-R 3
ただしＲ3 はアクリレート残基（アクリル酸エステル基又はメタクリル酸エステル基である。
【００４７】
(ii)エーテルアクリレート
ウレタンアクリレートに混合するエーテルアクリレートとしては、エチレングリコールジ（メタ）アクリレート、ポリエチレングリコールジ（メタ）アクリレート、ヘキサンジオールジ（メタ）アクリレート、トリメチロールプロパントリ（メタ）アクリレート、トリメチロールプロパンジ（メタ）アクリレート、ペンタエリスリトールテトラ（メタ）アクリレート、ペンタエリスリトールトリ（メタ）アクリレート、ジペンタエリスリトールヘキサ（メタ）アクリレート、エチレングリコールジグリシジルエーテルジ（メタ）アクリレート、ポリエチレングリコールジグリシジルエーテルジ（メタ）アクリレート、プロピレングリコールジグリシジルエーテルジ（メタ）アクリレート、ポリプロピレングリコールジグリシジルエーテルジ（メタ）アクリレート等が挙げられる。
【００４８】
(iii) 配合比等
十分な柔軟性及び弾力性とともに適度な仮粘着性を有するためには、ウレタンアクリレートとエーテルアクリレートとの重量配合比は３０／７０〜４０であるのが好ましい。また紫外線硬化型樹脂組成物は上記成分の他に、公知の光開始剤、顔料及び添加剤を含有しても良い。紫外線硬化型樹脂組成物を含有するインキは市販されており、例えば十条ケミカル社のＪＥＬＣＯＮ  ＵＳＬシリーズのスクリーンインキや、帝国インキ製造（株）製のＵＶＱＶＮスクリーンインキを用いることができる。
【００４９】
(b) 製法
上記ウレタンアクリレート及びエーテルアクリレートを適当な光開始剤、添加剤、等とともに有機溶媒に溶解し、紫外線硬化型インク組成物とする。インク組成物による滑り止め層６の形成は、ベタ刷りで、且つ、約１０μｍから２００μｍの厚みを確保するためには、スクリーン印刷法により行うのが好ましい。すなわち、トレース用ファイルホルダ１の場合、一対の比較的ハードな上下シート状部材２，３が重なり合っており、また上下シート状部材２、３は、あらかじめ、一方の長辺において連設され、且つ、連接辺４に隣接する短辺も接合部５として熱溶着されている矩形状のものであるため、印刷時に版ロールに巻きつけ、被印刷物である上下シート状部材２、３に加圧や変形を加える印刷方法は２枚のシートのずれを発生させ、均一なベタ印刷は困難である。その点、スクリーン印刷方法は上下シート状部材２，３の表面に、スキージの操作でスクリーンのメッシュ版を通り抜けたインキが乗るだけであり、上下シート部材２，３に加圧や変形を加えるものでなく、均一に且つ比較的厚みのある印刷層を形成できる長所を有している。
【００５０】
所望の厚みに印刷した樹脂層を乾燥後、紫外線照射により架橋させる。架橋条件自体は公知のものでよい。架橋した滑り止め層６は耐候性、耐薬品性、耐久性等を有するとともに、ウレタンアクリレート及びエーテルアクリレートの組成に起因する柔軟性、弾力性及び適度な仮粘着性を有する。
【００５１】
尚、トレース用ファイルホルダ１の滑り止め層６をスクリーン印刷で形成した後、トレース用ファイルホルダ１を積層する場合は、トレーシングペーパー８を保護紙として滑り止め層６の上面に添付しておくほうが好ましい。通常のトレーシングペーパーやコピー紙や布地等では容易に離形するが、もし滑り止め層６の面同士が合わさった場合、接着力が強くなり、上下シート状部材２，３の印刷面から滑り止め層６が部分的に剥がれ破壊する可能性がある。
【００５２】
このシート状部材２、３は矩形状であって、ポリエチレン、ポリプロピレン、ポリエステル、ポリカーボネート、ポリメタアクリレート、ポリアミド等の合成樹脂で形成されており、滑り止め層６の密着力が維持できない場合には、シート状部材２，３の面にアンダーコート処理を行うか、火炎処理やプラズマにより表面の改質処理を必要に応じて行うこともある。
【００５３】
本発明の実施の形態では、上下シート状部材２、３は同種のものを用いているが、上シート状部材２と下シート状部材３との必要条件は多少異なるものであり、上下シート状部材２，３に適した材質を選定することも必要な場合もある。
すなわち、上方のシート状部材２はインキの密着性の優れる樹脂材とし、下方のシート状部材３はポリオレフィン系の樹脂とし、上方のシート状部材２の外面に透明または半透明の滑り止め層６を形成するものである。
【００５４】
インキの密着性が優れる樹脂材としては、ポリエチレンテレフタレート樹脂、ポリカーボネート樹脂、ポリメタアクリレート樹脂、ポリスチレン樹脂、等があり、これらの樹脂を上方のシート状部材として使用すれば、インキの密着性が優れ、滑り止め層を印刷加工した後でのファイルホルダの二次加工や取り扱い、また、トレース作業時において滑り止め層が剥離する等の問題が無くなる。
また、下方のシート状部材をポリオレフィン系のポリエチレン樹脂やポリプロピレン樹脂とすることで、表面が適度な滑らかさをもち、トレース台やガラス板面上で前後左右自在にトレース用ファイルホルダを摺動でき、また、摺動させても傷つきが少なく、透光性や透明性が極端に低下することがない。
【００５５】
ただし、ポリプロピレン樹脂と異種のシート材料を接合するのは通常困難であり、本発明の形態においては、以下のように、エラストマーシートを用いてレーザ接合を行った。
【００５６】
本実施の形態で用いた接合方法を簡単に説明する。
ファイリングホルダ１の下シート状部材３となる半透明のポリプロピレン樹脂シートの長辺側と隣接する短辺部に、約２ｍｍ幅のエラストマーシートを置き、その上から、上シート部材２となるポリエチレン樹脂シートを置き接合準備を行った。エラストマーシートとしては、スチレン系熱可塑性エラストマーをシート状に成形したものを用いた。そのシートは、レーザ吸収率を向上させるためにレーザ吸収色素を１重量％添加しており、今回用いた８０８ｎｍでのレーザ吸収率は９５％である。下シート状部材３側からエラストマーシートが介在する部分にレーザ照射を行った。熱源としては、半導体レーザ(Ｌａｓｅｒ Ｌｉｎｅ社製ＬＤＦ６００−１０００；最大出力：１ｋＷ）を用いた。レーザの出力を５０ Ｗ一定とし、熱源の走査速度を２０ｍｍ／ｓとした。接合強度を評価した結果、トレース用ファイルホルダ１として充分耐える強度であり問題は無かった。
【００５７】
また、滑り止め層６として、ベタ刷りで、且つ、約１０μｍから２００μｍの厚みをスクリーン印刷法により確保することが好ましいとしたが、凹凸をつけると滑り止め効果は高まるが、滑らかなトレース作業に支障をきたす。また、厚みが１０μｍ以下では、滑り止め効果を維持することが困難となり、２００μｍ以上では、柔らかくなりすぎて、トレース作業での筆記具の動きがスムーズにできなくなる。
【００５８】
次に、以上の構成のトレース用ファイルホルダ１を用いてのトレース作業について、図３を参照しつつ説明する。
【００５９】
透光板１０は、透光板本体１１と、商用電源コード１２と直流変換アダプター１３とからなり、透光板本体１１は、トレース支持台１２に取り付けられた、複数個の発光ダイオードからなる光源１４と、その光源１４からの光を略均等に散乱させ面発光させる導光板１５と、導光板１５からの散乱光を上方に反射させる反射板１６と、導光板１５の略全面を覆う乳白色のアクリル樹脂でできたカバー板１７とから構成されている。
【００６０】
この構成の透光板１０に商用電源を投入すると、直流変換アダプター１３で交流から直流に変換された電源で、複数個の発光ダイオードの光源１４が点灯し、導光板１５を通じて面発光された光は、反射板１６で上方に反射させることで、乳白色のアクリル樹脂のカバー板１７全体を明るく光らすことになる。
【００６１】
透光板１０の明るく光るカバー板１７の上面に、透光性上下シート状部材２、３の内面間に下地となる文字や図案や模様等を施した原案シート７を挟持した状態でトレース用ファイルホルダ１が、滑り止め層６の印刷された面を上にして配置されている。さらにその上から、トレーシングペーパー８をセットし、軽く圧着したあとで、筆記具１８を用いてトレース作業を行う。
【００６２】
ここで、面発光しているアクリル樹脂のカバー板１７からの光は、前記一対の透光性上下シート状部材２、３からなるファイルホルダを透過して、また、透明または半透明の滑り止め層６を透過して、原稿シート７の後方から照射され、原稿シート７の文字や図形が浮かび上がる。こうして浮かび上がった原稿シート７の文字や図形を、トレース用ファイルホルダ１に貼り付けたトレーシングペーパー８等に写し取る。
【００６３】
なお、トレース用ファイルホルダ１とトレーシングペーパー８との間には、滑り止め層６が介在し、滑り止め層６のウレタンアクリレート及びエーテルアクリレートの組成に起因する柔軟性、弾力性及び適度な仮粘着性を有するので、軽く圧着するだけで密着した状態でのトレース作業が可能である。また、原稿シート７も透光性上下シート状部材２、３の内面間に挟持した状態であり、トレーシングペーパー８と原稿シートとの位置は固定された状態であり確実に容易にトレース作業ができる。
【００６４】
さらに、トレース用ファイルホルダ１を自在に動かすことができるので、正確で精密なトレースが可能となる。
【００６５】
さらに、トレース作業終了後には、滑り止め層６は仮粘着性であり、容易にトレーシングペーパー８を滑り止め層６から剥がすことができる。
【００６６】
なお、実施の形態として、トレーシング部材としてトレーシングペーパー８をもって説明したが、コピー用紙でも薄い布状のものでも、光を透過するものであればトレースが可能であり、トレーシングペーパー８に限定するものではない。
【００６７】
また、十分な柔軟性及び弾力性とともに適度な仮粘着性を有するためには、ウレタンアクリレートとエーテルアクリレートとの重量配合比は３０／７０〜４０であるのが好ましいとしたが、ウレタンアクリレート単体成分でも、エーテルアクリレート単体成分でも、柔軟性と弾力性、及び、仮粘着性の値が変わるが、トレーシング部材によっては使用可能ともなり、同じ効果が得られ、ウレタンアクリレートとエーテルアクリレートとの配合比を限定するものではない。
【００６８】
また、実施例では、作業環境や乾燥時間の優位性を考え、また、インキの厚みを確保するために、紫外線硬化型のインキが良いとして配合事例を示しているが、仮粘着性を有し滑り止め効果のあるインキであれば、水性や溶剤性のインキでも使用可能であり、紫外線硬化型のインキに限定するものではない。
【産業上の利用可能性】
【００６９】
以上の通り、本発明によれば、文字、イラスト、絵画、写真や図面等のトレース作業を行うに際し、確実に安価で容易にトレースができるトレース用ファイルホルダが実現する。この発明は、レントゲン写真等の矯正用セファロフィルム等の医療用に、アニメーション業界のイラスト作成に、さらに、非常に安価にできることから、子供用のおもちゃ業界でのお絵かきセットにも転用が可能であり、多くの産業に利用できる発明となる。
【符号の説明】
【００７０】
１・・・トレース用ファイルホルダ
２・・・上シート状部材
３・・・下シート状部材
４・・・連接部
５・・・接合部
６・・・滑り止め部
７・・・原稿シート
８・・・トレーシングペーパ
９・・・全外周辺端部
【図１】
2015077716.tif 000003
【図２】
2015077716.tif 000004
【図３】
2015077716.tif 000005